(57)【特許請求の範囲】
【請求項１】
複数の負荷に対応してそれぞれ設けられ、入力されるクロック信号及びＰＷＭ信号に応じて負荷に与える高電圧を発生する高圧発生手段と、
各高圧発生手段で共通に使用される所定周波数のクロック信号を発生するクロック信号発生手段と、
各高圧発生手段に対応してそれぞれ設けられ、高圧発生手段で使用する所定デューティのＰＷＭ信号を発生するＰＷＭ信号発生手段と、
動作状態によって複数の負荷のうち常に電源が供給されるとは限らない負荷に対応する高圧発生手段に対して前記ＰＷＭ信号が入力されるか否かを検出するＰＷＭ信号検出手段と、
前記高圧発生手段のうち常に電源が供給されるとは限らない負荷に対応する高圧発生手段へ分岐した入力クロック信号ライン上に設け、前記ＰＷＭ信号検出手段によって検出されたＰＷＭ信号の入力有無に応じてクロック信号の導通、遮断をするクロック信号ゲート手段
を備えたことを特徴とする高圧電源装置。
【請求項２】
請求項１に記載された高圧電源装置において、
動作状態によって常に電源が供給されるとは限らない負荷が複数ある場合に、前記ＰＷＭ信号検出手段は、該複数の負荷に対応する高圧発生手段のいずれかへのＰＷＭ信号が入力されるか否かを検出し、かつ前記クロック信号ゲート手段は該複数の負荷に対応する各高圧発生手段への入力クロック信号ライン上に設けた
ことを特徴とする高圧電源装置。
【請求項３】
請求項１又は２に記載された高圧電源装置において、
前記高圧発生手段へ前記クロック信号ゲート手段を通して入力されるクロック信号が入力されるか否かを検出するクロック信号検出手段と、
常に電源が供給されるとは限らない電負荷に対応する高圧発生手段に前記ＰＷＭ信号発生手段からＰＷＭ信号を入力する信号ライン上における前記ＰＷＭ信号検出手段の検出点よりも高圧発生手段側に設け、前記クロック信号検出手段によるクロック信号の入力有無に応じてＰＷＭ信号の導通、遮断をするＰＷＭ信号ゲート手段
を備えたことを特徴とする高圧電源装置。
【請求項４】
請求項３に記載された高圧電源装置において、
動作状態によって常に電源が供給されるとは限らない負荷が複数ある場合に、前記クロック信号検出手段は、該複数の負荷に対応する高圧発生手段に分岐する前の信号ライン上に設けた単一の手段とし、かつ前記ＰＷＭ信号ゲート手段は、該複数の負荷に対応する各高圧発生手段に入力する信号ライン上にそれぞれ設けた
ことを特徴とする高圧電源装置。
【請求項５】
複数の負荷に対応してそれぞれ設けられ、入力されるクロック信号及びＰＷＭ信号に応じて負荷に与える高電圧を発生する高圧発生手段と、
各高圧発生手段で共通に使用される所定周波数のクロック信号を発生するクロック信号発生手段と、
各高圧発生手段に対応してそれぞれ設けられ、高圧発生手段で使用する所定デューティのＰＷＭ信号を発生するＰＷＭ信号発生手段と、
複数の負荷に対応してそれぞれ設けた前記高圧発生手段に対して前記ＰＷＭ信号が入力されるか否かをそれぞれ検出するＰＷＭ信号検出手段と、
複数の負荷に対応してそれぞれ設けた前記高圧発生手段に前記クロック信号発生手段からクロック信号を入力するために分岐したそれぞれの信号ライン上に設け、前記ＰＷＭ信号検出手段によって検出されたＰＷＭ信号の入力有無に応じてクロック信号の導通、遮断をするクロック信号ゲート手段と、
複数の負荷に対応してそれぞれ設けた前記高圧発生手段へ前記クロック信号ゲート手段を通してクロック信号が入力されるか否かをそれぞれ検出するクロック信号検出手段と、
複数の負荷に対応してそれぞれ設けた前記高圧発生手段に前記ＰＷＭ信号発生手段からＰＷＭ信号を入力するそれぞれの信号ライン上における前記ＰＷＭ信号検出手段の検出点よりも高圧発生手段側に設け、前記クロック信号検出手段によるクロック信号の入力有無に応じてＰＷＭ信号の導通、遮断をするＰＷＭ信号ゲート手段
を備えたことを特徴とする高圧電源装置。
【請求項６】
請求項１乃至５のいずれかに記載された高圧電源装置と、色ごとに高圧電源で作動する回路を備えた画像形成部を有するカラー画像形成装置であって、
高圧電源装置の前記複数の負荷が色ごとに備えた前記画像形成部の回路であることを特徴とするカラー画像形成装置。
【発明の詳細な説明】
【技術分野】
【０００１】
本発明は、入力されたクロック信号の周波数及びＰＷＭ信号のデューティに応じた高電圧を発生する高圧発生部を持つ高圧電源装置に関し、より詳しくは、複数の負荷ごとに高圧発生部を持ち、動作状態によって一部の高圧発生部だけを作動する回路構成を有した高圧電源装置及び該高圧電源装置を備えた画像形成装置に関する。
【背景技術】
【０００２】
複写機、プリンタ、あるいは複写、プリンタ、ファクシミリ等の機能を複合させて持ついわゆるデジタル複合機等の画像形成装置には、近年、画像のカラー化、高画質化や、処理の高速化の要求に加えて、省エネルギー（省電力消費）化、小型化の要求が高まっている。こうした画像形成装置の多くは、電子写真方式が採用され、例えば、感光体を帯電させるために必要な高圧電源を得るために装備される高圧電源装置にも、出力数の増加、複雑化、出力精度性能向上だけでなく、省エネルギー化、小型化が求められるようになっている。
例示した複写機のような、事務所や家庭で一般的に用いられる電子機器に用いるこの種の高圧電源装置として、複数の負荷に必要な電圧を外部から入力されたクロック信号（周波数）及びＰＷＭ信号（デューティ）に応じた高電圧を発生するようにした電源装置が知られている（特許文献１、参照）。
【０００３】
図６は、外部から入力されたクロック信号（周波数）及びＰＷＭ信号（デューティ）に応じた高電圧を発生する従来の高圧電源装置の基本構成の概略を示すブロック図である。
同図に示すように、高圧電源装置は、高圧電源部２０と高圧制御部１０ｆを接続して構成する。高圧制御部１０ｆ側には、クロック（ＣＬＫ）信号を発生するＣＬＫ信号発生手段１２とＰＷＭ（Pulse Width Modulation）信号を発生するＰＷＭ信号発生手段１４を有し、クロック信号及びＰＷＭ信号を高圧電源部２０側の高圧発生部３０に入力する。
高圧電源部２０側の高圧発生部３０には、ＣＬＫ信号の入力により所定の周波数で動作するスイッチング手段３１と、スイッチング手段３１の出力で駆動される昇圧手段３３と、昇圧手段３３の出力をＰＷＭ信号のデューティで制御する出力制御手段３２と、昇圧手段３３の出力の状態（電圧や電流等）を検出する出力検出手段３４を有する。高圧発生部３０は、設定されたクロック信号の周波数によって出力電圧を変更でき、また、出力検出手段３４の検出信号をフィードバックさせ、ＰＷＭ信号のデューティを変えることで、所定値に高圧出力を制御できる。
【０００４】
また、図６に示した高圧電源装置をカラー複写機の画像形成部に適用する場合、従来では、図７又は図８に示すような構成が採用されている。
図７に示す構成例は、同図に示すように、カラーの色成分ごとに図６に示した高圧電源装置を独立に有している。即ち、ブラックの画像形成部への高圧出力用には、高圧制御部１０ｆのＣＬＫ信号発生手段１２１、ＰＷＭ信号発生手段１４１と、複合高圧電源部２０ｅの高圧発生部３０１を独立に有する。他の色であるイエロー、マゼンタ、シアンについても同様の構成で、全部で４系統を持つ。よって、高圧制御部１０ｆと複合高圧電源部２０ｅの基板間を結ぶ制御ラインは、４系統のそれぞれにＣＬＫ信号とＰＷＭ信号の２本ずつ、計８本が必要になる。
さらに、図８に示す構成例は、同図に示すように、図７に示した構成においてカラーの色成分ごとに発生させていたＣＬＫ信号を共通にし、単一のＣＬＫ信号発生手段１２としている。各色の高圧発生部３０１〜３０４の内部構成は変わらない。このため、共通にしたＣＬＫ信号が１本であり、その分だけ高圧制御部１０ｆと高圧電源部２０ｆの基板間を結ぶ制御ラインは減り、計５本になる。このため、タイマーやハーネスの削減が可能になる。
【発明の概要】
【発明が解決しようとする課題】
【０００５】
しかしながら、図８に示した従来の高圧電源装置の構成例では、モノクロプリント時に、ブラック以外の色にもＣＬＫ信号が入力されるので、高圧発生部３０２〜３０４の内部回路が動作してしまい、無駄に電力を消費してしまう、という問題が生じる。
この問題を解決する手段を備えた高圧電源装置として検討された先行例があり、その例では図９に示すような構成が採用されている。
図９に示す構成例は、同図に示すように、図８に示した構成におけると同様に各色成分にＣＬＫ信号を共通にしているが、モノクロプリント時にブラック以外の色の高圧発生部３０２〜３０４にＣＬＫ信号を入力させないために複合高圧電源部２０ｇにゲート回路１９を付加している。また、このゲート回路１９を制御するための制御信号を発生させるゲート切替制御手段１７を高圧制御部１０ｇに新たに設け、モノクロプリント時にブラック以外の色の高圧発生部３０２〜３０４へのＣＬＫ信号の入力を遮断する。
【０００６】
このゲート回路１９の付加によって、使用しない色の高圧発生部３０２〜３０４へのＣＬＫ信号が入力されず、無駄な電力消費が無くなる。
ただ、高圧制御部１０ｇと高圧電源部２０ｇの基板間を結ぶ制御ラインは、ゲート回路１９を制御するための制御信号の分が増えてしまう。
本発明は、クロック信号を共通に使用し、複数の負荷ごとに対応して高圧出力を行う高圧電源装置における上記した従来技術及び先行例に生じる問題に鑑みてなされたもので、その目的は、高圧制御部と高圧電源部の間を結ぶ制御ラインを少なくすることと、動作する必要のない系統における無駄な電力消費を無くすこととを両立させることにある。
【課題を解決するための手段】
【０００７】
本発明は、複数の負荷に対応してそれぞれ設けられ、入力されるクロック信号及びＰＷＭ信号に応じて負荷に与える高電圧を発生する高圧発生手段と、各高圧発生手段で共通に使用される所定周波数のクロック信号を発生するクロック信号発生手段と、各高圧発生手段に対応してそれぞれ設けられ、高圧発生手段で使用する所定デューティのＰＷＭ信号を発生するＰＷＭ信号発生手段と、動作状態によって複数の負荷のうち常に電源が供給されるとは限らない負荷に対応する高圧発生手段に対して前記ＰＷＭ信号が入力されるか否かを検出するＰＷＭ信号検出手段と、前記高圧発生手段のうち常に電源が供給されるとは限らない負荷に対応する高圧発生手段へ分岐した入力クロック信号ライン上に設け、前記ＰＷＭ信号検出手段によって検出されたＰＷＭ信号の入力有無に応じてクロック信号の導通、遮断をするクロック信号ゲート手段を備えたことを特徴とする。
本発明は、複数の負荷に対応してそれぞれ設けられ、入力されるクロック信号及びＰＷＭ信号に応じて負荷に与える高電圧を発生する高圧発生手段と、各高圧発生手段で共通に使用される所定周波数のクロック信号を発生するクロック信号発生手段と、各高圧発生手段に対応してそれぞれ設けられ、高圧発生手段で使用する所定デューティのＰＷＭ信号を発生するＰＷＭ信号発生手段と、複数の負荷に対応してそれぞれ設けた前記高圧発生手段に対して前記ＰＷＭ信号が入力されるか否かをそれぞれ検出するＰＷＭ信号検出手段と、複数の負荷に対応してそれぞれ設けた前記高圧発生手段に前記クロック信号発生手段からクロック信号を入力するために分岐したそれぞれの信号ライン上に設け、前記ＰＷＭ信号検出手段によって検出されたＰＷＭ信号の入力有無に応じてクロック信号の導通、遮断をするクロック信号ゲート手段と、複数の負荷に対応してそれぞれ設けた前記高圧発生手段へ前記クロック信号ゲート手段を通してクロック信号が入力されるか否かをそれぞれ検出するクロック信号検出手段と、複数の負荷に対応してそれぞれ設けた前記高圧発生手段に前記ＰＷＭ信号発生手段からＰＷＭ信号を入力するそれぞれの信号ライン上における前記ＰＷＭ信号検出手段の検出点よりも高圧発生手段側に設け、前記クロック信号検出手段によるクロック信号の入力有無に応じてＰＷＭ信号の導通、遮断をするＰＷＭ信号ゲート手段を備えたことを特徴とする。
【発明の効果】
【０００８】
動作する必要のない負荷に出力する高圧発生部へのクロック信号の入力を遮断するゲートを制御する信号を高圧電源部側で発生させることで、高圧制御部と高圧電源部の間を結ぶ制御ライン数を抑え、かつ省電力消費を実現することができる。
【図面の簡単な説明】
【０００９】
【図１】本発明に係る高圧電源装置の適用対象となるカラー画像形成装置の１構成例を示す概略図である。
【図２】本発明に係る高圧電源装置（実施形態１）の構成を示すブロック図である。
【図３】本発明に係る高圧電源装置（実施形態２）の構成を示すブロック図である。
【図４】本発明に係る高圧電源装置（実施形態３）の構成を示すブロック図である。
【図５】本発明に係る高圧電源装置（実施形態４）の構成を示すブロック図である。
【図６】高電圧を発生する従来の高圧電源装置の基本構成を示すブロック図である。
【図７】高圧電源装置（図６）をカラー複写機の画像形成部に適用した従来の構成例を示す図である。
【図８】高圧電源装置（図６）をカラー複写機の画像形成部に適用した従来の他の構成例を示す図である。
【図９】高圧電源装置（図６）をカラー複写機の画像形成部に適用した従来の他の構成例を示す図である。
【発明を実施するための形態】
【００１０】
本発明に係わる高圧電源装置及び画像形成装置を添付する図面とともに示す以下の実施形態に基づき説明する。以下に示す実施形態は、本発明に係わる高圧電源装置を所謂タンデムタイプのカラー画像形成装置（例えば、複写機、プリンタ等）における画像形成部が必要とする高圧電源に適用した例を示す。
「適用対象となるカラー画像形成装置の概要」
図１は、本発明に係る高圧電源装置の適用対象となるカラー画像形成装置の１構成例を示す概略図である。図１を参照すると、本実施形態に係わるタンデムタイプのカラー画像形成装置は、フルカラーの色成分であるブラック：Ｋ、イエロー：Ｙ、マゼンタ：Ｍ、シアン：Ｃの画像を形成する画像形成部１００Ｂ、１００Ｙ、１００Ｍ、１００Ｃが、それぞれ転写媒体としての中間転写媒体（ベルト）１０５の搬送方向に沿って一列に配置されている。
中間転写媒体（ベルト）１０５は、駆動ローラ、従動ローラ転写ローラ１０６によって架設され、図示の矢印方向に回転駆動される。
【００１１】
画像形成部（ブラック）１００Ｂは、感光体ドラム１０１とこの感光体ドラム１０１の周囲に配置された帯電ローラ１０２、レーザ露光手段１０３、現像手段１０４等を構成要素として有する。感光体ドラム１０１の表面は、先ず帯電ローラ１０２で一様に帯電される。なお、この帯電には、高圧電源を必要とし、高圧電源装置の出力に対する負荷の一つとなる。この後、帯電された感光体ドラム１０１の表面は、画像（ブラック）データによって光量が制御されるレーザビームを照射するレーザ露光手段１０３により露光され、静電潜像が形成される。
感光体ドラム１０１の表面に形成された静電潜像は、現像手段１０４で現像され、感光体ドラム１０１上にトナー像が形成される。他の色成分の画像形成部も図１では省略されているが、ブラックと同じ要素を有し、同様にトナー像が形成される。ただし、モノクロプリント時には、ブラック以外の画像形成部は作動しない。
【００１２】
感光体ドラム１０１上のトナー像は、感光体ドラム１０１と中間転写媒体（ベルト）１０５が接する位置（１次転写位置）で転写手段（不図示）によって中間転写媒体（ベルト）１０５に転写される。フルカラー画像を形成する場合、各色のトナー像は、中間転写媒体（ベルト）１０５上に各色のトナー像が順に重ねられる。
中間転写媒体（ベルト）１０５と給紙部（不図示）から搬送される転写紙Ｐが接する位置（２次転写位置）に２次転写手段１０６を設ける。２次転写手段１０６は、中間転写媒体（ベルト）１０５上で重ねられたフルカラー画像を転写紙Ｐに転写する。転写紙Ｐに転写された画像は、定着手段１０７によって、熱圧着処理を受けて定着された後、画像形成済みの転写紙Ｐは、排紙される。
【００１３】
「高圧電源装置」
次に、高圧電源装置の１実施形態として、上記したカラー画像形成装置を適用対象とした装置の構成例を以下に説明する。
上述のカラー画像形成装置はタンデムタイプであり、フルカラー画像の成分色としてブラック：Ｋ、イエロー：Ｙ、マゼンタ：Ｍ、シアン：Ｃの４色の色ごとに画像形成部が装備され、各色の画像形成部が高圧電源装置の出力に対する負荷となる。これらの負荷に供給する高圧電源は、各色の画像形成部に適応した電圧を必要とし、それぞれに高圧発生部を設け、作動状態に応じて出力を制御する。このため、８本の制御ラインが必要になるが（上述の［背景技術］における図７に関する説明、参照）、単一のＣＬＫ信号を用いる構成にすることで、制御部からの制御ラインを減らし、最低限の５本にしても、ＣＬＫ信号を共通化したことにより副作用として無駄な電力消費が生じる（同上、図８に関する説明、参照）。また、この副作用を抑えるためにゲート回路を付加する方法があるが、制御部からこのゲート回路を制御すると、制御ラインが増えてしまう（上述の［発明が解決しようとする課題］における図９に関する説明、参照）。
【００１４】
そこで、本実施形態では、制御ラインを増やさずに、作動させない負荷に対応する高圧発生部へのＣＬＫ信号の遮断をするゲート回路を制御することで、無駄な電力消費を無くすことと制御ラインを最低限に保つこととを両立させる。
このための手段として、この実施形態では、複数の負荷に適応する高圧発生部等を一体化して有する回路部（以下「複合高圧電源部」という）内に作動させない負荷に対応する高圧発生部へのＣＬＫ信号の遮断をするゲート回路とこのゲート回路を制御するための回路を設ける。
下記の実施形態には、上記ゲート動作を行うための手段を有した高圧電源装置の実施形態を示し、「実施形態１」には単一のゲート回路を有する構成の基本形を示す。
また、「実施形態２」には「実施形態１」に起きる可能性のある不具合（入力シーケンスの異常）を防止するための付加構成を有する形態を示し、さらに「実施形態３」には「実施形態２」の回路構成を簡略化した形態を示す。
また、「実施形態４」には上記ゲート動作を行うための手段及び不具合（入力シーケンスの異常）を防止するための上記付加構成を各負荷に対応する高圧発生部ごとに有する形態を示す。
【００１５】
「実施形態１」
この実施形態は、作動させない負荷に対応する高圧発生部へのＣＬＫ信号を遮断するための単一のゲート回路を有する構成の基本形を示す。
図２は、この実施形態に係る高圧電源装置の構成を示すブロック図である。
図２に示す高圧電源装置は、複合高圧電源部２０ａと高圧制御部１０を接続して構成する。
高圧制御部１０側には、クロック（ＣＬＫ）信号を発生するＣＬＫ信号発生手段１２とＰＷＭ（Pulse Width Modulation）信号を発生するＰＷＭ信号発生手段１４１〜１４４を有し、クロック信号及びＰＷＭ信号を複合高圧電源部２０ａ側の高圧発生部３０１〜３０４に入力する。ＣＬＫ信号発生手段１２は１つであり、負荷となるカラーの色成分であるブラック、イエロー、マゼンタ、シアンの各色の画像形成部に対応する高圧発生部３０１〜３０４（後述）で共通に使用されるＣＬＫ信号を発生する。また、ＰＷＭ信号発生手段１４１〜１４４は、各色の画像形成部に対応する高圧発生部ごとにそれぞれのＰＷＭ信号を発生する。
【００１６】
複合高圧電源部２０ａの高圧発生部３０１〜３０４は、それぞれＣＬＫ信号の入力により所定の周波数で動作するスイッチング手段３１と、スイッチング手段３１の出力で駆動される昇圧手段３３と、昇圧手段３３の出力をＰＷＭ信号発生手段１４１〜１４４からのＰＷＭ信号のデューティで制御する出力制御手段３２と、昇圧手段３３の出力の状態（電圧や電流等）を検出する出力検出手段３４を有する。
高圧発生部３０１〜３０４は、設定されたクロック信号の周波数及びＰＷＭ信号のデューティによって出力電圧を変更でき、また、出力検出手段３４の検出信号を出力制御手段３２にフィードバックさせ、所定値に高圧出力を制御できる。
フルカラープリント時には、複合高圧電源部２０ａの各色の画像形成部に対応する高圧発生部３０１〜３０４を全部作動させるので、それぞれにＣＬＫ信号及びＰＷＭ信号が入力される。この実施形態では、ＣＬＫ信号は、単一のＣＬＫ信号発生手段１２で発生させた信号を各高圧発生部３０１〜３０４で用いるので、高圧制御部１０のＣＬＫ信号発生手段１２から複合高圧電源部２０ａ側へ１本のラインで入力され、複合高圧電源部２０ａで各高圧発生部３０１〜３０４への入力ラインに分岐される。
【００１７】
他方、モノクロプリント時には、ブラックに対応する高圧発生部３０１のみを作動させる。このとき、上述のように、各色に共通に用いるために発生させたＣＬＫ信号がブラック以外の色の高圧発生部３０２〜３０４へ入力され、無駄な電力消費が生じないように、ゲート回路４２を、ブラックの高圧発生部３０１への入力ラインから分岐したこれら高圧発生部３０２〜３０４への入力ライン上に設ける。
また、このゲート回路（以下「クロック信号ゲート回路」という）４２は、モノクロプリント時にゲート制御によってＣＬＫ信号の入力を遮断しなければならない。さらに、このゲート制御を行う手段は、上述のように、高圧制御部１０と複合高圧電源部２０ａの間を結ぶ制御ライン数を増やさない手段を採用する必要がある。このため、本実施形態では、モノクロプリント時の動作状態を検出する手段を複合高圧電源部２０ａ内に設け、この手段の検出信号によってクロック信号ゲート回路４２を制御する方法をとる。
【００１８】
このゲート制御を行う手段の実施形態としては、図２に示すように、高圧発生部３０２〜３０４への入力ライン上にクロック信号ゲート回路４２を設けるとともに、クロック信号ゲート回路４２の切替を制御する手段として、ブラック以外の色の高圧発生部３０２〜３０４へのＰＷＭ信号を入力とするＯＲ回路４３とＰＷＭ信号検出回路４１を設ける。
ＯＲ回路４３は、常に電源が供給されるとは限らない負荷に対応する高圧発生手段へＰＷＭ信号を発生するＰＷＭ信号発生手段１４２〜１４４で発生される各ＰＷＭ信号を入力として、このＰＷＭ信号のいずれかの入力があるか又はいずれもないかを表す信号を出力する。
また、ＰＷＭ信号検出回路４１は、ＰＷＭ信号の入力状態（ＰＷＭ信号がいずれか１つでもあるか又は全部ないか）を表すＯＲ回路４３の出力信号を受け、この信号の状態がモノクロプリント時の動作状態を示すか否かを検出する。このＰＷＭ信号検出回路４１は、例えば、ＯＲ回路４３の出力信号を受け、この信号を所定時間積分する積分回路と、モノクロプリント時の動作状態であるか否かを判断するための基準値（電圧）を発生する基準電圧回路と、前記積分回路の出力と前記基準電圧回路で発生した基準値を閾値として比較し、比較結果に従いこのＰＷＭ信号検出回路４１の出力として、モノクロプリント時の動作状態であるか否かを表す信号を出力する比較回路によって構成することができる。なお、上記基準値として、例えば、ＰＷＭ信号のデューティ０％〜出力開始デューティの間で任意の値とすることができる。
【００１９】
上記のように、ＯＲ回路４３及びＰＷＭ信号検出回路４１をクロック信号ゲート回路４２のゲート切替の制御手段として設けたことにより、モノクロプリント時においては、次に示す動作が行われる。
即ち、モノクロプリント時には、ブラック以外の色であるイエロー、マゼンタ、シアンの高圧発生部３０２〜３０４へＰＷＭ信号発生手段１４２〜１４４から発生されるＰＷＭ信号の全てがＯＦＦになるので、ＯＲ回路４３からは全部のＰＷＭ信号がないことを表す信号が出力され、所定の期間この出力信号の状態であることをＰＷＭ信号検出回路４１が検出すると、ＰＷＭ信号検出回路４１は、モノクロプリント時の動作状態であること、叉ＰＷＭ信号発生手段１４２〜１４４から発生されるＰＷＭ信号がいずれか１つでもあれば、ＯＲ回路４３からは逆の信号が出力されてＰＷＭ信号検出回路４１は、モノクロプリント時の動作状態ではないことを検出結果として得、このいずれかの検出信号をクロック信号ゲート回路４２にゲートの切替を制御する信号として出力する。
【００２０】
例えば、クロック信号ゲート回路４２は、通常、ゲートが閉（遮断）であれば、ＰＷＭ信号検出回路４１からモノクロプリント時の動作状態ではないという検出信号を受けた場合には、ゲートを開き、信号の通過（導通）に切替え、ブラック以外の色の高圧発生部３０２〜３０４へＣＬＫ信号を入力する。このＣＬＫ信号の入力によりカラープリント時の動作が可能になる。
なお、この実施形態では、イエロー、マゼンタ、シアンのＰＷＭ信号のいずれか１つでもＯＮであれば、これらの色の高圧発生部３０２〜３０４へのＣＬＫ信号は遮断されないので、フルカラーを含む全てのカラープリントを可能とするクロック信号ゲート回路４２のゲートの切替を行う。
他方、ＰＷＭ信号検出回路４１からモノクロプリント時の動作状態であるという検出信号を受けた場合には、ゲートを閉じたままで、ブラック以外の色の高圧発生部３０２〜３０４へＣＬＫ信号の入力を遮断する。
また、クロック信号ゲート回路４２が、通常、ゲートが開（導通）であれば、上記と逆になり、モノクロプリント時の動作状態であるという検出信号を受けた場合には、ゲートを閉じる制御を行い、ブラック以外の色の高圧発生部３０２〜３０４へＣＬＫ信号の入力を遮断する。
ＣＬＫ信号の遮断により、モノクロプリント時に必要のないイエロー、マゼンタ、シアンの高圧発生部３０２〜３０４にはＣＬＫ信号は入力されないので、高圧発生部内の回路は動作せず、無駄な電力は消費されない。
【００２１】
「実施形態２」
この実施形態は、上記「実施形態１」に起きる可能性のある不具合を防止するための付加構成を有する形態を示す。
ＣＬＫ信号とＰＷＭ信号の制御入力によって作動する高圧電源部において、各負荷へ出力する高圧電源を発生する高圧発生部３０１〜３０４に対する制御信号の入力シーケンスは、ＣＬＫ信号ＯＮの後、ＰＷＭ信号ＯＮという順番で行うことが一般的に予定されており、予定された順番に従わないと、高圧発生部の構成によっては、誤出力や破損にいたる場合がある。高圧電源装置を上記「実施形態１」（図２）のように構成する場合、クロック信号ゲート回路４２を通してＣＬＫ信号が入力される高圧発生部３０２〜３０４に対する入力シーケンスが予定通りの順番で行われない不具合が生じる場合がある。
例えば、クロック信号ゲート回路４２が、通常、ゲートが閉（遮断）であると、初期状態では、モノクロプリント時に必要のないイエロー、マゼンタ、シアンの高圧発生部３０２〜３０４にはＣＬＫ信号が入力されることはない。このため、カラープリントの要求に応じて高圧制御部１０のＰＷＭ信号発生手段１４２〜１４４によって発生されるＰＷＭ信号が先に高圧発生部３０２〜３０４に入力されてしまう。
【００２２】
そこで、本実施形態では、ＰＷＭ信号発生手段１４２〜１４４で発生されたＰＷＭ信号を高圧発生部３０２〜３０４に入力する信号ライン上にそれぞれゲート回路（以下「ＰＷＭ信号ゲート回路」という）を設ける。
また、このＰＷＭ信号ゲート回路は、カラープリント時にクロック信号が高圧発生部３０２〜３０４に入力されるまで、ゲート制御によってＰＷＭ信号の入力を遮断し、クロック信号の入力後にＰＷＭ信号の入力を行うことにより上記入力シーケンスを守らなければならない。このため、本実施形態では、高圧発生部３０２〜３０４に入力されるクロック信号の状態（信号の有無）をそれぞれ検出する手段を設け、この手段の検出信号によってＰＷＭ信号ゲート回路をそれぞれ制御する方法をとる。
【００２３】
図３は、この実施形態に係る高圧電源装置の構成を示すブロック図である。
図３に示す高圧電源装置は、先の「実施形態１」の構成（図２）に基づいており、本実施形態で付加された上述の入力シーケンスを守るために設けた手段のみ異なる。なお、この付加手段を除く他の構成については、図２の構成と変わらないので、先の説明を参照することとし、ここでは、記載を省略する。
図３に示す本実施形態の構成で付加された手段の１つは、高圧制御部１０のブラック以外の色のＰＷＭ信号発生手段１４２〜１４４から高圧発生部３０２〜３０４に入力する各ＰＷＭ信号の信号ライン上にそれぞれ設けたＰＷＭ信号ゲート回路４７２〜４７４である。
ＰＷＭ信号ゲート回路４７２〜４７４は、カラープリント時にクロック信号が高圧発生部３０２〜３０４に入力されるまで、ＰＷＭ信号が高圧発生部３０２〜３０４へ入力されないように、このＰＷＭ信号を遮断するために当該信号ライン上に設ける。ただ、この信号ライン上には、先の「実施形態１」の構成（図２）で説明したように、ＰＷＭ信号の出力状態からモノクロプリント時かカラープリント時かを検出するための検出点が存在するので、正常な動作を妨げないようにするためには、この検出点よりも高圧発生部３０２〜３０４側に設ける必要がある。
【００２４】
本実施形態で付加されたもう１つの手段は、クロック信号ゲート回路４２を通してブラック以外の色に対応する高圧発生部３０２〜３０４にそれぞれ入力されるクロック信号の有無を検出するＣＬＫ信号検出回路４６２〜４６４である。このＣＬＫ信号検出回路４６２〜４６４は、検出結果によってＰＷＭ信号ゲート回路４７２〜４７４を制御し、ＰＷＭ信号の入力シーケンスをクロック信号の後にするために設けられる。
ＣＬＫ信号検出回路４６２〜４６４は、高圧発生部３０２〜３０４への入力ラインにクロック信号があるか否か、クロック信号の有無を検出する。このＣＬＫ信号検出回路４６２〜４６４は、例えば、入力ラインに生じる信号を受け、この信号を所定時間積分する積分回路と、クロック信号の有無を判断するための基準値（電圧）を発生する基準電圧回路と、前記積分回路の出力と前記基準電圧回路で発生した基準値を閾値として比較し、比較結果に従いクロック信号の有無を表す信号を出力する比較回路によって構成することができる。なお、この基準値は、例えば、０％〜クロック信号ＯＮデューティの間で任意の値とすることができる。
また、この実施形態では、イエロー、マゼンタ、シアンの各色それぞれにＣＬＫ信号検出回路４６２〜４６４を有しており、クロック信号の有無を判断するための基準値として、それぞれに適した値を定めることが可能である。
【００２５】
上記のように、ＯＲ回路４３及びＰＷＭ信号検出回路４１をクロック信号ゲート回路４２のゲート切替の制御手段として設け、さらにＣＬＫ信号検出回路４６２〜４６４をＰＷＭ信号ゲート回路４７２〜４７４のゲート切替の制御手段として設けたことにより、カラープリント時においては、次に示す動作が行われる。
即ち、カラープリント時には、ブラック以外の色であるイエロー、マゼンタ、シアンのＰＷＭ信号発生手段１４２〜１４４から発生され、高圧発生部３０２〜３０４へ入力されるＰＷＭ信号のいずれかがＯＮになるので、ＯＲ回路４３は、このＰＷＭ信号の状態を表す信号を出力する。ＰＷＭ信号が所定の期間、前記の状態であることをカラープリント時の動作状態として検出するＰＷＭ信号検出回路４１は、この検出結果をクロック信号ゲート回路４２にゲート切替制御信号として出力する。この制御信号を受けるクロック信号ゲート回路４２は、ゲートの切替を行い、ブラック以外の色の高圧発生部３０２〜３０４へのＣＬＫ信号を導通させる。
このＣＬＫ信号の導通により、カラープリント時に必要なイエロー、マゼンタ、シアンの高圧発生部３０２〜３０４にはＣＬＫ信号が入力される。
【００２６】
他方、高圧制御部１０のブラック以外の色のＰＷＭ信号発生手段１４２〜１４４から高圧発生部３０２〜３０４に入力される各ＰＷＭ信号は、カラープリント要求に応じて既に発生されている。ただ、高圧発生部３０２〜３０４に入力される各ＰＷＭ信号は、通常、ゲートを閉（遮断）じるＰＷＭ信号ゲート回路４７２〜４７４によって遮断されているので高圧発生部３０２〜３０４へは入力されていない。
高圧発生部３０２〜３０４の作動に必要な各ＰＷＭ信号は、ＰＷＭ信号ゲート回路４７２〜４７４がゲートを導通側に切り替えることによって、入力される。この切替は、ＣＬＫ信号検出回路４６２〜４６４が、クロック信号ゲート回路４２を通して高圧発生部３０２〜３０４へ入力されるＣＬＫ信号を検出した信号を切替制御に用いて行われる。
従って、高圧発生部３０２〜３０４へ入力されるＰＷＭ信号は、ＣＬＫ信号より先に入力されることはなく、目的とする入力シーケンスを守ることができる。なお、クロック信号ゲート回路４２の動作とＰＷＭ信号ゲート回路４７２〜４７４の動作にＣＬＫ信号１周期分以上のディレイを設けることにより、動作を安定させることができる。
【００２７】
「実施形態３」
この実施形態は、上記「実施形態２」の回路構成を簡略化した形態を示す。
上記「実施形態２」では、イエロー、マゼンタ、シアンそれぞれに対応するＣＬＫ信号検出回路４６２〜４６４を有しており、クロック信号の有無を判断するための基準値として、それぞれに適した値を定めることを可能にしている。
ただ、各色それぞれにＣＬＫ信号検出回路４６２〜４６４を設けると回路規模が大きくなってしまい、イエロー、マゼンタ、シアンに対応するＣＬＫ信号検出回路４６２〜４６４ごとに最適動作を行わせることよりも、回路規模を小さくすることを重要視するユーザの要求に応えることができない。
そこで、本実施形態では、ＣＬＫ信号検出回路を単一として回路構成を簡略化し、回路規模を小さくする。なお、ＣＬＫ信号検出回路を単一とした場合、例えば、クロック信号の有無を判断するための唯一の基準に最も安全な最大値を採用した場合に、動作が遅くなることが考えられるが、許容範囲に収まれば、気にしなくても済む。
【００２８】
図４は、この実施形態に係る高圧電源装置の構成を示すブロック図である。
図４に示す高圧電源装置は、先の「実施形態２」の構成（図３）に基づいており、本実施形態で簡略化したＣＬＫ信号検出回路のみ異なる。なお、このＣＬＫ信号検出回路を除く他の構成については、図３の構成と変わらないので、先の説明を参照することとし、ここでは、記載を省略する。
図４に示す本実施形態の構成で簡略化したＣＬＫ信号検出回路４６は、クロック信号ゲート回路４２を通してブラック以外の色に対応する各高圧発生部３０２〜３０４に入力されるクロック信号の有無を検出するという点で、「実施形態２」のイエロー、マゼンタ、シアンそれぞれに対応するＣＬＫ信号検出回路４６２〜４６４の各回路と同じもので、これをただ１つだけ設け、検出出力をイエロー、マゼンタ、シアンそれぞれに共通に用いる。
従って、イエロー、マゼンタ、シアンそれぞれに対応するＰＷＭ信号ゲート回路４７２〜４７４はそれぞれ、単一のＣＬＫ信号検出回路４６の出力を切替制御に用いる。
【００２９】
このように、本実施形態によると、単一のＣＬＫ信号検出回路４６が、基本的には「実施形態２」のイエロー、マゼンタ、シアンそれぞれに対応するＣＬＫ信号検出回路４６２〜４６４の１つと同じ動作を行い、その出力を同時にイエロー、マゼンタ、シアンそれぞれのＰＷＭ信号ゲート回路４７２〜４７４のゲートの切替制御に用い、上記「実施形態２」に示したと同様のＰＷＭ信号のゲート動作を行う。
よって、高圧発生部３０２〜３０４へ入力されるＰＷＭ信号は、ＣＬＫ信号より先に入力されることのない（入力シーケンスを守る）回路を簡略な構成で実現することができる。
【００３０】
「実施形態４」
この実施形態は、上記「実施形態１」に示した作動させない負荷に対応する高圧発生部へのＣＬＫ信号を遮断するためのゲート動作を行うための手段及び上記「実施形態２」に示した入力シーケンスを正常に保つための上記付加手段を各負荷に対応する高圧発生部ごとに有する形態を示す。
上記「実施形態１」及び「実施形態２」には、既存のカラー画像形成装置の多くがプリント動作として行う、モノクロプリントとカラープリントの各動作モードを、適用対象のカラー画像形成装置においても設定に従って行うことを前提に、ブラックとブラック以外のイエロー、マゼンタ、シアンを一まとめにして、高圧発生部へのＣＬＫ信号を遮断するためのゲート回路等の手段を講じる実施形態を示した。
よって、これらの動作モード以外の例えば、単色カラー（ブラック以外の色）プリント或いはフルカラー以外の複数色カラー（例えば、黒、赤の２色等）プリントに適応するには、上記「実施形態１」及び「実施形態２」は不向きである。
【００３１】
そこで、単色カラープリント或いはフルカラー以外の複数色のカラープリントにも適応し得る構成として、ブラック、イエロー、マゼンタ、シアンの各色に対応する高圧発生部ごとに、上記「実施形態１」及び「実施形態２」において採用したと同様に、高圧発生部へのＣＬＫ信号を遮断するためのゲート動作を行うための手段及び高圧発生部へのＣＬＫ信号とＰＷＭ信号の入力シーケンスを正常に保つための手段を採用し本実施形態の高圧電源装置を構成する。
なお、本実施形態の高圧電源装置においても、高圧発生部へのＣＬＫ信号を遮断するゲートの制御動作を行うための手段としてＰＷＭ信号検出回路を複合高圧電源部内に設けているので、高圧制御部から複合高圧電源部への制御ラインの本数は、最低限の５本であることに変わりはない。
【００３２】
図５は、この実施形態に係る高圧電源装置の構成を示すブロック図である。
図５に示す高圧電源装置は、先の「実施形態２」の構成（図３）に基づいており、本実施形態では、ブラック、イエロー、マゼンタ、シアンの各色に対応して、それぞれクロック信号ゲート回路４２１〜４２４及びＰＷＭ信号ゲート回路４７１〜４７４を有する。また、クロック信号ゲート回路４２１〜４２４及びＰＷＭ信号ゲート回路４７１〜４７４には、それぞれゲート切替の制御手段として、前者にはＰＷＭ信号検出回路４１１〜４１４を、後者にはＣＬＫ信号検出回路４６１〜４６４を設けている。なお、「実施形態２」の構成（図３）に備わるＯＲ回路４３は、本実施形態では、ブラック、イエロー、マゼンタ、シアンの各色に対応する高圧発生部ごとにクロック信号ゲート回路４２１〜４２４を設けているので、不要である。
図５のクロック信号ゲート回路４２１〜４２４に対するＰＷＭ信号検出回路４１１〜４１４のゲート制御動作及びＰＷＭ信号ゲート回路４７１〜４７４に対するＣＬＫ信号検出回路４６１〜４６４のゲート制御動作については、図３のゲート制御動作と変わらないので、先の説明を参照することとし、ここでは、記載を省略する。
【００３３】
上記のように、ブラック、イエロー、マゼンタ、シアンの各色に対応する高圧発生部ごとに、高圧発生部３０１〜３０４へのＣＬＫ信号を遮断するためのゲート動作をクロック信号ゲート回路４２１〜４２４及びＰＷＭ信号検出回路４１１〜４１４によって行い、かつ高圧発生部３０１〜３０４へのＣＬＫ信号とＰＷＭ信号の入力シーケンスを正常に保つためのゲート動作をＰＷＭ信号ゲート回路４７１〜４７４及びＣＬＫ信号検出回路４６１〜４６４によって行うことで、単色カラー（ブラック以外の色）プリント動作時もしくはフルカラー以外の複数色カラー（例えば、黒、赤の２色等）プリント動作時にもＣＬＫ信号の遮断により、指示された単色カラープリント動作時もしくはフルカラー以外の複数色カラープリント動作時に必要のない色の高圧発生部にはＣＬＫ信号は入力されないので、高圧発生部内の回路は動作せず、無駄な電力は消費されず、また、高圧発生部へ入力されるＰＷＭ信号は、ＣＬＫ信号より先に入力されることはなく、予定された入力シーケンスを守ることができる。
【符号の説明】
【００３４】
１０，１０ｆ、１０ｇ・・高圧制御部、１２，１２１，１２２，１２３，１２４・・ＣＬＫ信号発生手段、１４，１４１，１４２，１４３，１４４・・ＰＷＭ信号発生手段、２０ａ，２０ｂ，２０ｃ，２０ｄ，２０ｅ，２０ｆ，２０ｇ・・複合高圧電源、３０１，３０２，３０３，３０４・・高圧発生部、４１，４１１，４１２，４１３，４１４・・ＰＷＭ信号検出回路、４２，４２１，４２２，４２３，４２４・・クロック信号ゲート回路、４３・・ＯＲ回路、４６，４６１，４６２，４６３，４６４・・ＣＬＫ信号検出回路、４７１，４７２，４７３，４７４・・ＰＷＭ信号ゲート回路。
【先行技術文献】
【特許文献】
【００３５】
【特許文献１】特開２００７−６０８１２号公報
【図１】
0005381482.tif 000002
【図２】
0005381482.tif 000003
【図３】
0005381482.tif 000004
【図４】
0005381482.tif 000005
【図５】
0005381482.tif 000006
【図６】
0005381482.tif 000007
【図７】
0005381482.tif 000008
【図８】
0005381482.tif 000009
【図９】
0005381482.tif 000010